(57)【要約】      （修正有）【課題】耳たぶから脱落しにくく、紛失しにくいイヤリングを提供する。【解決手段】イヤリング１は、耳たぶの正面に当接する正面当接部３を有する第１キャスト２と、正面当接部と協働して耳たぶを挟み込む耳たぶの背面に当接する背面当接部５を有する第２キャスト４と、第１キャストと第２キャストとを接続し、正面当接部と背面当接部とを近接させる方向に付勢する付勢部材６と、を備える。付勢部材は、第１キャストの内部に固定される第１固定部６１と、第２キャストの内部に固定される第２固定部６２と、第１固定部と第２固定部との間に弦巻バネ状に形成された弦巻バネ部６３と、を備える。弦巻バネ部は、第１キャストおよび第２キャストから露出する。このような構成により、イヤリングは、耳たぶを挟み込む力を大きくすることができるため、耳たぶからの脱落や紛失を防止することができる。【選択図】図１
0003233192.tif 000002
【実用新案登録請求の範囲】
【請求項１】
耳たぶを前後から挟みこむことによって耳たぶに固定されるイヤリングであって、
耳たぶの正面に当接する正面当接部を有する第１部材と、
耳たぶの背面に当接するとともに、前記正面当接部と協働して耳たぶを挟み込む背面当接部を有する第２部材と、
前記第１部材と前記第２部材とを接続し、前記正面当接部と前記背面当接部とを近接させる方向に付勢する付勢部材と、を備え、
前記付勢部材は、
前記第１部材の内部に固定される第１固定部と、
前記第２部材の内部に固定される第２固定部と、
前記第１固定部および前記第２固定部と接続するとともに、前記第１固定部と前記第２固定部との間に弦巻バネ状に形成された弦巻バネ部と、を備え、
前記弦巻バネ部は、
前記第１部材および前記第２部材から露出することを特徴とするイヤリング。
【考案の詳細な説明】
【技術分野】
【０００１】
本考案は、イヤリングに関する。
【背景技術】
【０００２】
従来、耳たぶを前後から挟み込むことによって耳たぶに固定するイヤリングが知られている。例えば、特許文献１に記載された耳飾り具（イヤリング）は、耳たぶの正面から下方を通って背面まで至る形状に形成される挟持体と、この挟持体に取り付けられた装飾体とを備えている。そして、この耳飾り具は、挟持体の有する弾性力を以て耳たぶを前後から挟み込むことによって、耳たぶに固定されている。
【先行技術文献】
【特許文献】
【０００３】
【特許文献１】特開２０００−１５２８１２号公報
【考案の概要】
【考案が解決しようとする課題】
【０００４】
しかしながら、このような従来のイヤリングでは、耳たぶを挟み込む力は大きくないため、耳たぶから脱落しやすく、紛失しやすいという問題がある。
【０００５】
本考案の目的は、耳たぶから脱落しにくく、紛失しにくいイヤリングを提供することである。
【課題を解決するための手段】
【０００６】
本考案のイヤリングは、耳たぶを前後から挟みこむことによって耳たぶに固定されるイヤリングであって、耳たぶの正面に当接する正面当接部を有する第１部材と、耳たぶの背面に当接するとともに、正面当接部と協働して耳たぶを挟み込む背面当接部を有する第２部材と、第１部材と第２部材とを接続し、正面当接部と背面当接部とを近接させる方向に付勢する付勢部材と、を備え、付勢部材は、第１部材の内部に固定される第１固定部と、第２部材の内部に固定される第２固定部と、第１固定部および第２固定部と接続するとともに、第１固定部と第２固定部との間に弦巻バネ状に形成された弦巻バネ部と、を備え、弦巻バネ部は、第１部材および第２部材から露出することを特徴とする。
【０００７】
このような本考案によれば、イヤリングは、耳たぶの正面に当接する正面当接部を有する第１部材と、耳たぶの背面に当接するとともに、正面当接部と協働して耳たぶを挟み込む背面当接部を有する第２部材と、第１部材と第２部材とを接続し、正面当接部と背面当接部とを近接させる方向に付勢する付勢部材と、を備えるので、耳たぶを挟み込む力を大きくすることができる。したがって、本考案によれば、イヤリングを耳たぶから脱落しにくくすることができるとともに、イヤリングを紛失しにくくすることができる。
【０００８】
また、本考案によれば、弦巻バネ部は、第１部材および第２部材から露出しているので、イヤリングのデザイン性を向上させることができるとともに、弦巻バネ部を露出させないように第１部材および第２部材を複雑な形状に加工する場合と比較してイヤリングの製造工程を簡素化することができる。
【図面の簡単な説明】
【０００９】
【図１】本考案の一実施形態に係るイヤリングを示す外観側面図
【考案を実施するための形態】
【００１０】
以下、本考案の一実施形態を図面に基づいて説明する。
図１は、本考案の一実施形態に係るイヤリング１を示す外観側面図である。具体的には、図１（Ａ）は、イヤリング１を閉じているときの側面図であり、図１（Ｂ）は、イヤリング１を開いているときの側面図である。
【００１１】
イヤリング１は、使用者の耳たぶに装着され耳たぶを前後から挟みこむことによって耳たぶに固定されるものである。図１（Ａ）に示すように、イヤリング１は、耳たぶの正面に当接する正面当接部３を有する第１部材としての第１キャスト２と、耳たぶの背面に当接するとともに、正面当接部３と協働して耳たぶを挟み込む背面当接部５を有する第２部材としての第２キャスト４と、正面当接部３と背面当接部５とを近接させる方向に付勢する付勢部材６と、を備える。
【００１２】
第１キャスト２および第２キャスト４は、それぞれ断面を円形とする円弧状に形成されている。また、第１キャスト２は、第２キャスト４と比較して弧の長い円弧状に形成されている。そして、イヤリング１を閉じているときには、第１キャスト２および第２キャスト４は、全体として円環状となる形状に形成されている。第１キャスト２および第２キャスト４の金属素材は、金や銀、プラチナ等の単一金属であってもよいし、複数種の金属からなる各種合金であってもよいが、金属アレルギーを起こしにくい金やプラチナ等の素材であることが好ましい。なお、第１キャスト２および第２キャスト４は、金属製ではなく樹脂製であってもよい。第１キャスト２および第２キャスト４にどのような素材を用いるかについては任意である。
【００１３】
正面当接部３および背面当接部５は、互いに若干の距離を隔てて離間するとともに対向している。また、正面当接部３および背面当接部５は、耳たぶに面接触するように平面状に形成されている。正面当接部３および背面当接部５は、平面状に形成されることでイヤリング１を耳たぶに固定したときに、耳たぶにかかる力を分散することができる。これにより、付勢部材６の作用によって耳たぶを挟み込む力が大きくなっても耳たぶにかかる力を軽減することができ、耳たぶの痛みを緩和することができる。また、正面当接部３および背面当接部５の面積を大きくすることができれば、耳たぶとの摩擦力を大きくすることができるので、付勢部材６の作用との相乗効果によりイヤリング１を耳たぶから更に脱落しにくくすることができる。
【００１４】
付勢部材６は、第１キャスト２と第２キャスト４とを接続する部材である。付勢部材６は、第１キャスト２の内部に固定される第１固定部６１と、第２キャスト４の内部に固定される第２固定部６２と、第１固定部６１および第２固定部６２と接続する弦巻バネ部６３と、を備える。
第１固定部６１は、第１キャスト２の正面当接部３と反対側の端部に固定されている。
第２固定部６２は、第２キャスト４の背面当接部５と反対側の端部に固定されている。
弦巻バネ部６３は、第１固定部６１と第２固定部６２との間に弦巻バネ状に形成されている。この弦巻バネ部６３は、第１キャスト２および第２キャスト４から露出している。
なお、図１において、第１固定部６１と第２固定部６２は、第１キャスト２と第２キャスト４の内部に固定されているため、破線にて図示している。
【００１５】
ここで、前述したように、第１キャスト２は、第２キャスト４と比較して弧の長い円弧状に形成されている。換言すれば、付勢部材６は、イヤリング１における背面当接部５側に配置されている。これにより、付勢部材６と背面当接部５との間の距離は、付勢部材６と正面当接部３との間の距離よりも短くなり、背面当接部５から耳たぶに加わる力は、正面当接部３から耳たぶに加わる力よりも大きくなる。
なお、本実施形態では、正面当接部３および背面当接部５の面積は同一となっているが、同一の面積としなくてもよい。例えば、背面当接部５の面積を正面当接部３の面積よりも大きくすることによって、正面当接部３および背面当接部５から耳たぶに加わる単位面積当たりの力を略一定にしてもよい。これによれば、イヤリング１は、装着感を損なうことなく、耳たぶを挟み込む力を大きくすることができる。
【００１６】
このようなイヤリング１を耳たぶに装着するには、図１（Ｂ）に示すように、第１キャスト２および第２キャスト４を指でつまんで図中の矢印方向に操作し、正面当接部３および背面当接部５を離間させ、正面当接部３および背面当接部５にて耳たぶを前後から挟み込むことによってイヤリング１を耳たぶに固定する。第１キャスト２および第２キャスト４は、指を離すことで付勢部材６により正面当接部３と背面当接部５とが近接する方向に付勢される。
ここで、前述したように、第１キャスト２は、第２キャスト４と比較して弧の長い円弧状に形成されている。換言すれば、付勢部材６は、イヤリング１における背面当接部５側に配置されている。これにより、イヤリング１を正面から見たときには、耳たぶにて付勢部材６を隠すことができ、目立たないようにすることができる。したがって、イヤリング１のデザイン性およびファッション性を向上させることができる。
【００１７】
続いて、イヤリング１の製造方法について説明する。
イヤリング１は、一対の型からなる成形装置によって製造される。一対の型は、シリコンゴム製である。なお、一対の型は、シリコンゴム製でなくてもよく、他の素材であってもよいし、金属製の金型であってもよい。一対の型は、イヤリング１を製造することができれば、どのような型であってもよい。
【００１８】
一対の型は、付勢部材６を嵌め込み配置するための付勢部材空間と、第１キャスト２を成形するための第１キャスト空間と、第２キャスト４を成形するための第２キャスト空間と、を有するキャビティと、第１キャスト空間および第２キャスト空間に溶融金属を充填するための供給路とを有する。キャビティは、一対の型における一方の型と他方の型とを合わせて閉じることによって成形される。供給路は、他方の型に設けられ、第１キャスト空間および第２キャスト空間を接続するようにパイプ状に形成されている。
【００１９】
このような成形装置によるイヤリング１の製造手順は、先ず、一対の型を開いてキャビティの付勢部材空間に付勢部材６を嵌め込み設置する。ここで、付勢部材６は、第１キャスト空間に第１固定部６１が配置され、第２キャスト空間に第２固定部６２を配置されるように設置する。
次に、一対の型を合わせて閉じた後、供給路からキャビティに溶融金属を充填する。これにより、溶融金属は、第１キャスト空間および第２キャスト空間に充填されるので、第１キャスト空間に成形された第１キャスト２は、第１固定部６１を覆い、第２キャスト空間に成形された第２キャスト４は、第２固定部６２を覆うことになる。したがって、第１固定部６１は、第１キャスト２の内部に固定され、第２固定部６２は、第２キャスト４の内部に固定される。また、弦巻バネ部６３は、第１キャスト２および第２キャスト４から露出する。そして、一対の型を冷却して溶解金属を固化した後、イヤリング１を取り出し、第１キャスト２および第２キャスト４における供給路部分の金属を取り除くとともに、バリ等を削り落とすことでイヤリング１を製造する。
【００２０】
このような本実施形態によれば、以下の作用・効果を奏することができる。
（１）イヤリング１は、耳たぶの正面に当接する正面当接部３を有する第１キャスト２と、耳たぶの背面に当接するとともに、正面当接部３と協働して耳たぶを挟み込む背面当接部５を有する第２キャスト４と、第１キャスト２と第２キャスト４とを接続し、正面当接部３と背面当接部５とを近接させる方向に付勢する付勢部材６と、を備えるので、耳たぶを挟み込む力を大きくすることができる。したがって、イヤリング１を耳たぶから脱落しにくくすることができるとともに、イヤリング１を紛失しにくくすることができる。
（２）弦巻バネ部６３は、第１キャスト２および第２キャスト４から露出しているので、イヤリング１のデザイン性を向上させることができるとともに、弦巻バネ部６３を露出させないように第１キャスト２および第２キャスト４を複雑な形状に加工する場合と比較してイヤリング１の製造工程を簡素化することができる。
【００２１】
〔実施形態の変形〕
なお、本考案は前記実施形態に限定されるものではなく、本考案の目的を達成できる範囲での変形、改良等は本考案に含まれるものである。
例えば、前記実施形態では、正面当接部３および背面当接部５は、平面状に形成されていたが、正面当接部および背面当接部は、例えば、半球面状に形成されていてもよいし、複数の凹凸を有して形成されていてもよいし、円錐状に形成されていてもよい。また、正面当接部３および背面当接部５は、互いに若干の距離を隔てて離間していたが、正面当接部３および背面当接部５は離間していなくてもよいし、前記実施形態における距離よりも大きな距離を隔てて離間していてもよい。要するに、正面当接部と背面当接部とは、耳たぶに当接することができればどのような形状に形成されていてもよい。
【００２２】
前記実施形態では、第１キャスト２および第２キャスト４は、円弧状に形成されていたが、第１部材および第２部材は、円弧状に形成されていなくてもよく、波状や直線状など、任意の形状に形成されていてもよい。要するに、第１部材は、耳たぶの正面に当接する正面当接部を有していればよく、第２部材は、耳たぶの背面に当接するとともに、正面当接部と協働して耳たぶを挟み込む背面当接部を有していれば、どのような形状に形成されていてもよい。
【００２３】
前記実施形態では、第１キャスト２および第２キャスト４には装飾品は設けられていなかったが、宝石などの装飾品が設けられていてもよい。この際、装飾品は、接着により第１部材および第２部材に設けられていてもよいし、チェーンを介して第１部材および第２部材に取り付けられていてもよいし、台座を設ける等して第１部材および第２部材以外の位置に取り付けられていてもよい。また、装飾品は、第１部材および第２部材を加工して形成したものでもよいし、第１部材および第２部材と一体に成形されたものでもよい。
【産業上の利用可能性】
【００２４】
以上のように、本考案は、イヤリングに広く適用できる。
【符号の説明】
【００２５】
１…イヤリング，２…第１キャスト（第１部材），３…正面当接部，４…第２キャスト（第２部材），５…背面当接部，６…付勢部材，６１…第１固定部，６２…第２固定部，６３…弦巻バネ部
【図１】
0003233192.tif 000003